(57)【特許請求の範囲】
【請求項１】
間隔を隔てた２つの支持部材の一方にワイヤ挟持固定具を用いてワイヤの一端を挟持固定するとともに、該ワイヤの他端を他方の支持部材にワイヤ止着具を用いて止着する手すりにおいて、
前記ワイヤ挟持固定具は、ワイヤグリップ体をケース内に収容し、該ケース内にその一端から前記ワイヤ端部を導入して前記ワイヤグリップ体に挟持固着するとともに、前記ケースの他端に取付ねじ部を有するソケット部材を螺着して構成され、
前記ワイヤ止着具は、ばね受け部材をケース内に螺合締着し、該ばね受け部材の内部にワイヤ端部支承部材をスプリングを介して移動自在に収容し、該ワイヤ端部支承部材に前記ケース一端部からワイヤ端部を導入係止し、前記ケースの他端に取付ねじ部を有するソケット部材を螺着して構成され、
前記ワイヤ挟持固定具および前記ワイヤ止着具をそれぞれ前記ソケット部材の取付ねじ部に螺合するねじ取付部材を介して前記支持部材に取り付けたことを特徴とする手すり。
【請求項２】
前記ワイヤ止着具は、両端内周に雌ねじ部が形成された中空筒状のケースと、該ケースの一方の雌ねじ部と螺合する雄ねじ部が一端外周に、他端外周に工具係合部と雄ねじ部が形成され、前記ワイヤが挿通する中空筒状の調整ナット部材と、前記ケースの他方の雌ねじ部に螺合する雄ねじ部が外周に、内周に雌ねじ部が形成されたソケット部材と、前記調整ナット部材の他端外周の雄ねじ部に螺合し、ワイヤ挿通孔が形成されたキャップと、前記ケース内に前記ソケット部材と前記調整ナット部材との間で変位自在に設けられ、前記ワイヤの端部に固着されるワイヤ固着部材と、該ワイヤ固着部材と前記調整ナット部材との間に介装され、前記ワイヤ固着部材を前記ソケット部材側へ付勢するスプリングとを備え、前記ソケット部材を前記ケースの他方の雄ねじ部に螺合するものである請求項１記載の手すり。
【請求項３】
前記ワイヤ挟持固定具は、端部に向かって縮径する内面テーパ部を一端に、他端に雌ねじ部を有する収容孔が形成されたケースと、該ケースの収容孔内に変位自在に収容され、一端外周に前記内面テーパ部と係合する外面テーパ部が、他端外周に雄ねじ部が形成されるとともに、前記ワイヤが挿通するワイヤ挿通孔および該ワイヤ挿通孔と前記外面テーパ部との間を径方向に貫通する複数の透孔が形成されたスリーブと、該スリーブの透孔内に前記ワイヤ挿通孔内に突没自在に収容されたロック部材と、該ソケット部材と前記スリーブとの間に介装され該スリーブを外面テーパ部が内面テーパ部と係合する方向に付勢する円錐コイルスプリングと、前記ケースの雄ねじ部に螺合してスリーブを覆うキャップと、前記スリーブに螺合するロックナットとを備え、前記ケースの雌ねじ部に前記ソケット部材が螺合するものである請求項１または請求項２記載の手すり。
【請求項４】
前記ねじ取付部材は、一端に前記ソケット部材の雌ねじ部と螺合する雄ねじ部が、他端に取付孔が前記雄ねじ部と直交する方向に形成され、前記取付孔を貫通するボルトにより該ボルト回りの回動可能に前記支持部材に取り付けられるものである請求項１、請求項２または請求項３記載の手すり。
【請求項５】
前記ねじ取付部材は、両端に雄ねじ部を有し、前記支柱部材を貫通して設けられるスタッドボルトであり、一端の雄ねじ部が前記ソケット部材の雌ねじ部に螺合し、他端の雄ねじ部が他のワイヤ止着具若しくはワイヤ挟持固定具のソケット部材の雄ねじ部または袋ナットと螺合する請求項１、請求項２または請求項３記載の手すり。
【請求項６】
前記ねじ取付部材は、球面摺動部を一端に有し他端が前記ソケット部材に螺合する第１の継手と、該第１の継手の球面摺動部に枢動自在に嵌合する枢動部を一端に、他端にねじ部を有する第２の継手とからなる請求項１、請求項２または請求項３記載の手すり。
【請求項７】
前記ねじ取付部材は、球面摺動部を一端に有し他端が前記ソケット部材に螺合する第１の継手と、該第１の継手の球面摺動部に枢動自在に嵌合する枢動部を一端に有し、中空孔が貫通形成された第２の継手と、該第２の継手の中空孔に挿通され、該第２の継手の他端にねじ部が突出するボルト部材とからなる請求項１、請求項２または請求項３記載の手すり。
【発明の詳細な説明】
【０００１】
【発明の属する技術分野】
この発明は、階段、足場、バルコニー等の囲い等に用いられる手すり、特に、壁や支柱等にワイヤの端部を止着して架設する手すりに関する。
【０００２】
【従来の技術】
従来、階段などの囲いに用いられる手すりとして、ワイヤを用いるものが知られる。このようなワイヤを用いる手すりは、支柱や壁などの支柱部材にフック等の取付具を固着し、この取付具にワイヤの両端を止着して所定の張力で張装している。
【０００３】
【発明が解決しようとする課題】
ところが、従来の手すりにあっては、ワイヤ端を取付具に取り付ける作業が煩雑で作業手間がかかり過ぎる欠点があり、また、張架した後に、ワイヤが弛み、再びワイヤを張り直す作業も必要で、一旦人が触れると弛んで弛みが生じ不体裁となるし、全てのワイヤを締張調整しなければならず、厄介であった。
また、ターンバックル方式でワイヤ張装しても外力による衝撃や外圧がワイヤに加わると、ターンバックルが廻ってしまったり、弛んでしまいワイヤが延びきって弛む傾向があるし、さらに、ターンバックルでは外観品位も悪く商品価値も低いなど問題があった。
本発明は、これら従来の問題を排除しようとするもので、張架したワイヤの緩みが的確に防止できるとともに、ワイヤに緩衝機能が与えられて、弛みがなく張り直し作業もなく安全かつ体裁良好な外観品位を保ち、張架作業も簡易で作業能率も大幅に向上できる手すりを提供することを目的とする。
【０００４】
【課題を解決するための手段】
上記目的を達成するため、この発明は、間隔を隔てた２つの支持部材の一方にワイヤ挟持固定具を用いてワイヤの一端を挟持固定するとともに、該ワイヤの他端を他方の支持部材にワイヤ止着具を用いて止着する手すりにおいて、
前記ワイヤ挟持固定具は、ワイヤグリップ体をケース内に収容し、該ケース内にその一端から前記ワイヤ端部を導入して前記ワイヤグリップ体に挟持固着するとともに、前記ケースの他端に取付ねじ部を有するソケット部材を螺着して構成され、
前記ワイヤ止着具は、ばね受け部材をケース内に螺合締着し、該ばね受け部材の内部にワイヤ端部支承部材をスプリングを介して移動自在に収容し、該ワイヤ端部支承部材に前記ケース一端部からワイヤ端部を導入係止し、前記ケースの他端に取付ねじ部を有するソケット部材を螺着して構成され、
前記ワイヤ挟持固定具および前記ワイヤ止着具をそれぞれ前記ソケット部材の取付ねじ部に螺合するねじ取付部材を介して前記支持部材に取り付けた。
【０００５】
そして、この発明の手すりは、前記ワイヤ止着具が、両端内周に雌ねじ部が形成された中空筒状のケースと、該ケースの一方の雌ねじ部と螺合する雄ねじ部が一端外周に、他端外周に工具係合部と雄ねじ部が形成され、前記ワイヤが挿通する中空筒状の調整ナット部材と、前記ケースの他方の雌ねじ部に螺合する雄ねじ部が外周に、内周に雌ねじ部が形成されたソケット部材と、前記調整ナット部材の他端外周の雄ねじ部に螺合し、ワイヤ挿通孔が形成されたキャップと、前記ケース内に前記ソケット部材と前記調整ナット部材との間で変位自在に設けられ、前記ワイヤの端部に固着されるワイヤ固着部材と、該ワイヤ固着部材と前記調整ナット部材との間に介装され、前記ワイヤ固着部材を前記ソケット部材側へ付勢するスプリングとを備え、前記ソケット部材を前記ケースの他方の雄ねじ部に螺合する態様（請求項２）に構成することができる。
【０００６】
また、この発明の手すりは、前記ワイヤ挟持固定具が、端部に向かって縮径する内面テーパ部を一端に、他端に雌ねじ部を有する収容孔が形成されたケースと、該ケースの収容孔内に変位自在に収容され、一端外周に前記内面テーパ部と係合する外面テーパ部が、他端外周に雄ねじ部が形成されるとともに、前記ワイヤが挿通するワイヤ挿通孔および該ワイヤ挿通孔と前記外面テーパ部との間を径方向に貫通する複数の透孔が形成されたスリーブと、該スリーブの透孔内に前記ワイヤ挿通孔内に突没自在に収容されたロック部材と、該ソケット部材と前記スリーブとの間に介装され該スリーブを外面テーパ部が内面テーパ部と係合する方向に付勢する円錐コイルスプリングと、前記ケースの雄ねじ部に螺合してスリーブを覆うキャップと、前記スリーブに螺合するロックナットとを備え、前記ケースの雌ねじ部に前記ソケット部材が螺合する態様（請求項３）に構成することができる。
【０００７】
さらに、この発明の手すりは、前記ねじ取付部材が、一端に前記ソケット部材の雌ねじ部と螺合する雄ねじ部が、他端に取付孔が前記雄ねじ部と直交する方向に形成され、前記取付孔を貫通するボルトにより該ボルト回りの角度調節可能に前記支持部材に取り付けられる態様（請求項４）に、
またさらに、前記ねじ取付部材が、両端に雄ねじ部を有し、前記支柱部材を貫通して設けられるスタッドボルトであり、一端の雄ねじ部が前記ソケット部材の雌ねじ部に螺合し、他端の雄ねじ部が他のワイヤ止着具若しくはワイヤ挟持固定具のソケット部材の雄ねじ部または袋ナットと螺合する態様（請求項５）に構成することができる。
【０００８】
また、この発明の手すりは、前記ねじ取付部材が、球面摺動部を一端に有し他端が前記ソケット部材に螺合する第１の継手と、該第１の継手の球面摺動部に枢動自在に嵌合する枢動部を一端に、他端にねじ部を有する第２の継手とからなる態様（請求項６）に、
さらに、前記ねじ取付部材が、球面摺動部を一端に有し他端が前記ソケット部材に螺合する第１の継手と、該第１の継手の球面摺動部に枢動自在に嵌合する枢動部を一端に有し、中空孔が貫通形成された第２の継手と、該第２の継手の中空孔に挿通され、該第２の継手の他端にねじ部が突出するボルト部材とからなる態様（請求項７）に構成することができる。
【０００９】
【作用】
この発明にかかる手すりは、離間した２つの支持部材にそれぞれワイヤ止着具とワイヤ挟持固定具とを取り付け、ワイヤの一端をワイヤ止着具に、ワイヤの他端をワイヤ挟持固定具に止着してワイヤを張装する。そして、これらワイヤ止着具とワイヤ挟持固定具はケースに螺合したソケット部材にねじ取付部材を螺合させ、このねじ取付部材を介して支持部材に取り付けられるため、ワイヤ止着具とワイヤ挟持固定具に付いてのねじ取付部材や支持部材の取付部分の構造を共通化でき、ワイヤの張装作業が容易に行え、また、その設置費用を低減できる。
【００１０】
そして、請求項２および請求項３記載の発明にかかる手すりは、ケース内のワイヤ端部を止着する構造に影響を及ぼすこと無くソケット部材を螺合させることができるため、すなわち、ソケット部材を取り外してもワイヤの止着に影響が及ばないため、ワイヤの張装作業がより容易に行える。
特に、請求項２記載の発明にかかる手すりは、調整ナット部材にスパナ等の工具が係合可能な係合部、例えば、六角柱部が形成されるため張装作業が容易であり、また、調整ナット部材がキャップにより覆われるため良好な外観が達成される。
【００１１】
また、請求項４記載の発明にかかる手すりは、ねじ取付部材を支持部材に対して角度調節可能に取り付けることができるため、ワイヤの傾斜張装も容易に行える。
さらに、請求項５記載の発明にかかる手すりは、１つのねじ取付部材により２つのワイヤ挟持固定具またはワイヤ止着具を支持部材に取り付けることができ、また、市販のスタッドボルトを用いて取り付けることができるため、支持部材への取付構造を簡単かつ安価に達成することができる。
【００１２】
またさらに、請求項６，７記載の発明にかかる手すりは、第１の継手と第２の継手により自在継手が構成されるため、ワイヤを支柱部材に対して傾斜して張装すること、いわゆる、傾斜張りも容易に行える。
【００１３】
【実施の形態】
以下、この発明の実施の形態を図面を参照して説明する。
図１から図４はこの発明の第１の実施の形態にかかる手すりを示し、図１が全体正面図、図２ａ，ｂがワイヤ止着具を示す断面図、図３がワイヤ挟持固定具の断面図、図４ａ，ｂ，ｃが張装作業を時系列的に示す図である。
【００１４】
図１において、Ｐａ，Ｐｂは間隔を隔て立設された支柱（支持部材）であり、支柱Ｐａにはワイヤ止着具１０によりワイヤＷの一端が、また、支柱Ｐｂにはワイヤ挟持固定具５０によりワイヤＷの他端が掛止され、支柱Ｐａ，Ｐｂ間にワイヤＷが緊張状態で張装される。
【００１５】
ワイヤ止着具１０は、図２ａ，ｂに示すように、内周両端に雌ねじ部１１ａ，１１ｂが形成された円筒状のケース１１を有し、該ケース１１の一端の雌ねじ部１１ａに調整ナット部材１２が、他端の雌ねじ部１１ｂにソケット部材１３が螺合し、ケース１１内に調整ナット部材１２とソケット部材１３との間でストッパ部材１４が軸方向移動自在に収容される。
【００１６】
調整ナット部材１２は、一端に略六角柱形状の工具係合部１２ａ（図２ｂ参照）を有する筒状体から構成され、工具係合部１２ａにワイヤ挿通孔１２ｂが、また、外周に前記雌ねじ部１１ａと螺合する雄ねじ部１２ｃが形成される。この調整ナット部材１２には、内周部の一端側に環状の板からなるリテーナ部材１５が係止し、また、雄ねじ部１２ｃにキャップ１６が螺合する。
なお、調整ナット部材１２の雄ねじ部１２ｃは、雌ねじ部１１ａと螺合する部分と、キャップ１６と螺合する部分を別個に形成することも可能である。
【００１７】
ストッパ部材１４は、一端にワイヤ挿通孔１４ａが形成され、このワイヤ挿通孔１４ａを挿通したワイヤＷの端部が固着される。また、このストッパ部材１４は、他端外周にリテーナフランジ１４ｂが形成されて該リテーナフランジ１４ｂと前記リテーナ部材１５との間にスプリング１７が縮装され、このスプリング１７によりソケット部材１３側に付勢される。
【００１８】
キャップ１６は、略有底円筒形状を有し、底部にワイヤ挿通孔１６ａが、開口端の内周に雌ねじ部１６ｂが形成される。このキャップ１６は、ワイヤ挿通孔１６ａにワイヤＷが挿通し、雌ねじ部１６ｂが調整ナット部材１２の雄ねじ部１２ｃに螺合する。このキャップ１６は、調整ナット部材１２の突出部分を覆い、また、この調整ナット部材１２のロックナットとして機能する。
【００１９】
ソケット部材１３は、外周に前述したケース１１の雌ねじ部１１ｂと螺合する雄ねじ部１３ａが、内周に雌ねじ部１３ｂを有する。このソケット部材１３には、雌ねじ部１３ｂにスタッドボルト２０が螺合する。スタッドボルト２０は、両端に雄ねじ部２１，２２を有し（図３参照）、支柱Ｐａを貫通して支柱Ｐａの一側の位置する雄ねじ部２１がソケット部材１３の雌ねじ部１３ｂに螺合し、支柱Ｐａの他側に位置する雄ねじ部２２に袋ナット３０が螺合する（図１参照）。
【００２０】
ワイヤ挟持固定具５０は、図３に示すように、テーパ収容穴５１ａが貫通して形成された中空筒状のグリップケース５１を有し、このグリップケース５１の収容穴５１ａ内にスリーブ５２が収容される。グリップケース５１には収容穴５１ａの大径側端部に雌ねじ部５１ｂが形成され、この雌ねじ部５１ｂがソケット部材５３と螺合し、このソケット部材５３の端面とスリーブ５２との間に円錐コイルスプリング５４が縮装される。この円錐コイルスプリング５４は、後述するように、スリーブ５２をその外面テーパ部がテーパ収容穴５１ａと係合する方向に付勢する。
【００２１】
スリーブ５２は、ワイヤ挿通孔５２ａが貫通形成されたパイプ状をなし、一端外周に外面テーパ部５２ｂが、他端外周に雄ねじ部５２ｃが形成され、また、ワイヤ挿通孔５２ａから外面テーパ部５２ｂに開口する複数の透孔５２ｄが径方向に貫通形成される。このスリーブ５２は、ワイヤ挿通孔５２ａにワイヤＷが挿通し、また、透孔５２ｄにボール５５が転動自在に収容され、円錐コイルスプリング５４の付勢力で外面テーパ部５２ｂがテーパ収容穴５１ａに密着してボール５５によりワイヤＷを挟着する。なお、５６はスリーブ５２の雄ねじ部５２ｃに螺合するロックナットである。
【００２２】
ソケット部材５３は、グリップケース５１側端部に小径の雄ねじ部５３ａが、この小径の雄ねじ部５３ａと隣接して大径の雄ねじ部５３ｂが形成され、また、雌ねじ部５３ｃが形成される。このソケット部材５３には、雄ねじ部５３ａにグリップケース５１が、雄ねじ部５３ｂにキャップ５７が螺合し、また、雌ねじ部５３ｃにスタッドボルト２０が螺合する。このスタッドボルト２０は、前述したワイヤ止着具１０と同様に、支柱Ｐｂを貫通し、支柱Ｐｂの一側に位置する雄ねじ部２２がソケット部材５３の雌ねじ部５３ｃに螺合し、支柱Ｐｂの他側に位置する雄ねじ部２１に袋ナット３０が螺合する。
【００２３】
キャップ５７は、略有底円筒状の部材から構成され、底部にワイヤ挿通孔５７ａが、開口端内周に雌ねじ部５７ｂが形成される。このキャップ５７は、ワイヤ挿通孔５７ａにワイヤＷが挿通し、雌ねじ部５７ｂがソケット部材５３の雄ねじ部５３ｂと螺合する。
【００２４】
この第１の実施の形態にあっては、ワイヤＷを支柱Ｐａ，Ｐｂ間に張装する場合、先ず、図４ａに示すように、ワイヤＷの端部をワイヤ止着具１０に固着し、このワイヤ止着具１０とワイヤ挟持固定具５０をそれぞれスタッドボルト２０と袋ナット３０を用いて支柱Ｐａ，Ｐｂに固定する。すなわち、ワイヤ止着具１０の取付は、ソケット部材１３にスタッドボルト２０の雄ねじ部２１を螺合させた後、このスタッドボルト２０を支柱Ｐａを貫通させ、スタッドボルト２０の雄ねじ部２２に袋ナット３０を螺着することで行い、また、ワイヤ挟持固定具５０も同様にして行う。
【００２５】
ここで、ワイヤＷの端部をワイヤ止着具１０に固着するに際しては、スタッドボルト２０と袋ナット３０を共通化できるため、部品の種類を少なくでき、また、取付も容易に行える。すなわち、ワイヤ固着具１０とワイヤ挟持固定具５０の支柱Ｐへの取付はそれぞれソケット部材１３，５３に螺合するスタッドボルト２０を用いて行うため、ケース１１，５１の大きさが異なる場合でもソケット部材１３，５３の雌ねじ部１３ｂ，５３ｃを同一のねじとすることでスタッドボルト２０等を共通化できる。
【００２６】
また特に、ワイヤ挟持固定具５０の取付に際してはケース５１、スリーブ５２およびスプリング５４をソケット部材５３に組み付けた状態で取り扱えるため、ワイヤＷの張装時にケース５１にスリーブ５２を組み付ける等の作業を行う必要がなく、ワイヤ挟持固定具５０の取付も容易に行える。
【００２７】
続いて、図４ｂに示すように、ワイヤＷをワイヤ止着具１０のキャップ１６の挿通孔１６ａとワイヤ挟持固定具５０のキャップ５７の挿通孔５７ａに通し、また、ワイヤ挟持固定具５０のロックナット５６を緩め、このワイヤＷの端部をワイヤ挟持固定具５０のスリーブ５２の挿通孔５２ａに通し、この後に、ロックナット５６を締結する。
【００２８】
次に、ワイヤ止着具１０の調整ナット部材１２を締付方向に回転してワイヤＷの張力を調節する。ここで、調整ナット部材１２の回転に際しては、調整ナット部材１２には六角柱形状の工具係合部１２ａが形成されているため、レンチやスパナ等の工具を用いて作業を行え、その作業が容易である。
【００２９】
この後は、図４ｃに示すように、ワイヤ止着具１０のキャップ１６を調整ナット部材１２に螺合し、また、ワイヤ挟持固定具５０のキャップ５７をソケット部材５３に螺合する。したがって、ワイヤ止着具１０は調整ナット部材１２等が外部に露呈することがなく、ワイヤ挟持固定具５０はスリーブ５２等が露呈することがなく、良好な外観が達成され、また、これの内部への雨水の浸入等も防止できる。
【００３０】
図５および図６はこの発明の第２の実施の形態を示し、図５が全体図、図６が要部の断面図である。
なお、この第２の実施の形態および後述する他の実施の形態においては、上述した第１の実施の形態と同一の部分には同一の番号を付して一部の図示と説明を省略する。
【００３１】
この第２の実施の形態は、図５に示すように、支柱Ｐａ，Ｐｃ間および支柱Ｐｃ，Ｐｂ間にそれぞれワイヤＷを張装する。上述した第１の実施の形態と同様に支柱Ｐａにはワイヤ止着具１０が、支柱Ｐｂにはワイヤ挟持固定具５０が取り付けられ、また、支柱Ｐｃには各支柱Ｐａ，Ｐｂと対向する両側面にワイヤ挟持固定具５０とワイヤ止着具１０が取り付けられ、支柱Ｐａのワイヤ止着具１０と支柱Ｐｃのワイヤ挟持固定具５０との間、支柱Ｐｃのワイヤ止着具１０と支柱Ｐｂのワイヤ挟持固定具５０との間にそれぞれワイヤＷが張装される。
【００３２】
そして、この第２の実施の形態は、図６に示すように、支柱Ｐｃにスタッドボルト２０を貫通させ、このスタッドボルト２０の一方の雄ねじ部２１をワイヤ挟持固定具５０のソケット部材５３に、スタッドボルト２０の他方の雄ねじ部２２をワイヤ止着具１０のソケット部材１３に螺合させ、１本のスタッドボルト２０によってワイヤ止着具１０とワイヤ挟持固定具５０の双方を支柱Ｐｃに取り付ける。
【００３３】
この第２の実施の形態にあっては、前述した第１の実施の形態との比較に明らかなように、３本の支柱Ｐａ，Ｐｂ，Ｐｃ間にそれぞれワイヤＷを張装する場合にも、ワイヤ止着具１０やワイヤ挟持固定具５０を何ら改造する必要がなく、ワイヤＷの張装を安価かつ容易に行える。
【００３４】
図７から図９はこの発明の第３の実施の形態を示し、図７が全体図、図８ａ，ｂ，ｃがワイヤ止着具の詳細を示す図、図９ａ，ｂ，ｃがワイヤ挟持固定具の詳細を示す図である。
【００３５】
この第３の実施の形態は、図７に示すようにワイヤＷを斜めに張装（傾斜張り）するものであり、各支柱Ｐａ，ＰｂにはそれぞれブラケットＢが固着され、支柱ＰａのブラケットＢにワイヤ止着具１０が角度（俯仰角度）調節自在に、同様に、支柱ＰｂのブラケットＢにワイヤ挟持固定具５０がボルト７７により角度調節自在に取り付けられる。ブラケットＢは、ボルト７７が挿通する取付穴（図示せず）を形成された矩形の平板等からなり、一端が溶接等で支柱Ｐａ，Ｐｂに固着される。このブラケットＢの傾斜角度はそれぞれ角度の異なるものを数種類用意しておいて選択して使用する。
【００３６】
そして、図８，９に示すように、ワイヤ止着具１０はソケット部材１３の雌ねじ部１３ｂに取付部材７０が螺合し、また同様に、ワイヤ挟持固定具５０はソケット部材５３の雌ねじ部５３ｃに取付部材７０が螺着し、これらワイヤ止着具１０とワイヤ挟持固定具５０はそれぞれ取付部材７０により支柱Ｐａ，Ｐｂに取り付けられる。取付部材７０は、一端側に雄ねじ部７１を、他端側に取付孔７２ａが形成された二股分岐部７２を有する。
【００３７】
この第３の実施の形態にあっては、ワイヤ止着具１０とワイヤ挟持固定具５０が取付部材７０の取付孔７２ａとブラケットＢの取付穴Ｂａにボルト７７を挿通して該ボルト７７にナットを螺合させることで、角度調節可能に支柱Ｐａ，ＰＢに取り付けられる。このため、ワイヤＷの傾斜張りが支柱Ｐａ，ＰｂにブラケットＢを固着するのみで、すなわち、ワイヤ止着具１０やワイヤ挟持固定具５０に改造を施すこと無く行え、ワイヤＷの傾斜張りが安価かつ容易に行える。
【００３８】
そして、上述した第１、第２および第３の実施の形態の対比から明らかなように、２本の支柱Ｐａ，Ｐｂ間にワイヤＷを張装する場合、３本以上の支柱Ｐａ，Ｐｂ，Ｐｃ間にワイヤＷを張装する場合、また、支柱Ｐａ，Ｐｂ間にワイヤＷを傾斜張りする場合も、ワイヤ止着具１０やワイヤ挟持固定具５０に改造を施す必要がなく、種々の張りの形態が安価かつ容易に達成できる。
【００３９】
図１０から図１２はこの発明の第４の実施の形態にかかる手すりを示し、図１０が全体正面図、図１１がワイヤ挟持固定具の分解断面図、図１２が手すりの一部を拡大して示す正面図である。
【００４０】
この第４の実施の形態にあっては、図１１に示すように、ワイヤ挟持固定具５０はソケット部材５３が一端側に前述した雄ねじ部５３ａ，５３ｂを、他端側に雄ねじ部５３ａと突条５３ｅで隔てられた雄ねじ部５３ｄを有し、この雄ねじ部５３ｄに第１の継手８１が螺合する。この雄ねじ部５３ｄは雄ねじ部５３ｂと径が等しく、これら雄ねじ部５３ａに螺合するキャップ５７と雄ねじ部５３ｄに螺合する第１の継手８１の外周面が突条５３ｅの周面と同一径の連続した円筒面を形成する。
【００４１】
第１の継手８１は、中空筒体からなり、一端にソケット部材５３の雄ねじ部５３ｄと螺合する雌ねじ部８１ａが形成される。また、この第１の継手８１には、他端内面に球面座８１ｂが形成され、さらに、この球面座８１ｂの一側に開口する案内切溝８１ｃおよび球面座８１ｂの他側に開口する工具挿通孔８１ｄが形成され、球面座８１ｂに案内切溝８１ｃを貫通した第２の継手８２の枢動部８２ａが枢動自在に嵌合する。案内切溝８１ｃは略９０°の範囲にわたって延在し、第２の継手８２の揺動を許容する。
【００４２】
第２の継手８２は、内周一端に大径の雌ねじ部８２ｂが、他端内周に雌ねじ部８２ｂと連続する小径の雌ねじ部８２ｃが形成され、また、一端外周に上述した略半球状の枢動部８２ａが形成される。この第２の継手８２には、雌ねじ部８２ｃに支柱Ｐを貫通したスタッドボルト２０が螺合し、雌ねじ部８２ｂにロックプラグねじ８３が螺合する。ロックプラグねじ８３は、六角穴８３ａを有し、上述した工具挿通孔８１ｄから差し込まれたレンチにより回転される。上述した第１の継手８１および第２の継手８２が自在継手として機能するねじ取付部材を構成する。
【００４３】
なお、８４はロック用のスプリングピンであり、このスプリングピン８４は第１の継手８１の雌ねじ部８１ａを径方向に貫通しソケット部材５３のロック孔５３ｆに嵌着する。
また、図示と説明は省略するが、ワイヤ止着具１０もワイヤ挟持固定具５０と同様の構成を有する。すなわち、ワイヤ止着具１０のソケット部材１３が雄ねじ部を有し、この雄ねじ部に第１の継手８１が螺合し、この第１の継手８１に第２の継手８２が枢動自在に結合する。
【００４４】
この第４の実施の形態にあっても、図１０および図１２に示すように、支柱Ｐにスタッドボルト２０を貫通させ、このスタッドボルト２０を第２の継手部材８２の雌ねじ部８２ｃに螺合させることでワイヤ止着具１０が取り付けられ、また、同様にしてワイヤ挟持固定具５０も取り付けられる。そして、ワイヤ止着具１０とワイヤ挟持固定具５０は第１の継手８１と第２の継手８２により構成される自在継手により支柱Ｐに揺動自在に取り付けられるため（図１２参照）、ワイヤＷの張装作業等が容易に行える。
【００４５】
図１３はこの発明の第５の実施の形態にかかる手すりを示し、ａがワイヤ挟持固定具５０の一部断面図、ｂが同ワイヤ挟持固定具の支柱への取付状態を示す一部断面図、ｃが取付作業を示す斜視図である。
【００４６】
この第５の実施の形態は、上述した第４の実施の形態における第２の継手８２に雌ねじ部８２ｂ，８２ｃに代えて大径部と小径部が段差部により区画される中空孔８８を形成し、この中空孔８８内に六角穴８９ｂを有する六角穴付きボルト８９を挿通するものである。六角穴付きボルト８９は、そのねじ部８９ａが第２の継手８２の端部から突出し、支柱Ｐに形成されたねじ孔に螺合する。
【００４７】
この第５の実施の形態にあっては、工具挿通孔８１ｄからレンチ９１を挿通し、このレンチ９１により六角穴付きボルト８９を支柱Ｐに螺着させることでワイヤ挟持固定具５０が支柱Ｐに取り付けられ、また同様にしてワイヤ止着具１０も支柱Ｐに取り付けられる。そして、上述した第４の実施の形態と同様に、ワイヤ止着具１０とワイヤ挟持固定具５０は支柱Ｐに対して揺動が許容されるため、ワイヤＷの傾斜張りも容易である。
【００４８】
なお、上記第５の態様および第４の態様においては、図１４に示すように、第１の継手８１の案内切溝８１ｃの長さや幅を大きく、あるいは、第２の継手８２の枢動部８２ａを小さくし、案内切溝８１ｃにワイヤＷを引き出す隙間Ｈを確保することも可能である。そして、この隙間Ｈを確保することで、ワイヤＷの張装作業をより容易に行うことができる。
【００４９】
【発明の効果】
以上説明したように、この発明にかかる手すりによれば、ワイヤ止着具とワイヤ挟持固定具がケースに螺合したソケット部材にねじ取付部材を螺合させて構成され、これらワイヤ止着具とワイヤ挟持固定具はねじ取付部材を介して支持部材に取り付けられるため、ワイヤ止着具とワイヤ挟持固定具に付いてのねじ取付部材や支持部材の取付部分の構造を共通化でき、ワイヤの張装作業が容易に行え、また、その設置費用を低減できるという効果が得られる。
【００５０】
また、請求項２および請求項３記載の発明にかかる手すりは、ケース内のワイヤ端部を止着する構造に影響を及ぼすこと無くソケット部材を螺合させることができるため、すなわち、ソケット部材を取り外してもワイヤの止着に影響が及ばないため、ワイヤの張装作業がより容易に行える。
特に、請求項２記載の発明にかかる手すりは、調整ナット部材にスパナ等の工具が係合可能な係合部、例えば、六角柱部が形成されるため張装作業が容易であり、また、調整ナット部材がキャップにより覆われるため良好な外観が達成される。
【００５１】
さらに、請求項４記載の発明にかかる手すりは、ねじ取付部材を支持部材に対して角度調節可能に取り付けることができるため、ワイヤの傾斜張装も容易に行える。
またさらに、請求項５記載の発明にかかる手すりは、１つのねじ取付部材により２つのワイヤ挟持固定具またはワイヤ止着具を支持部材に取り付けることができ、また、市販のスタッドボルトを用いて取り付けることができるため、支持部材への取付構造を簡単かつ安価に達成することができる。
【００５２】
また、請求項６および請求項７記載の発明にかかる手すりは、第１の継手と第２の継手により自在継手が構成されるため、ワイヤを支柱部材に対して傾斜して張装する傾斜張りもより容易に行える。
【図面の簡単な説明】
【図１】この発明の第１の実施の形態にかかる手すりの全体概要を示す図である。
【図２】同手すりのワイヤ止着具を示し、ａが縦断面図、ｂがａ（７）Ｂ−Ｂ矢視断面図、ｃはそのワイヤ止着部の分離状態の縦断面図である。
【図３】同手すりのワイヤ挟持固定具を示し、（ａ）は縦断面図、（ｂ）はグリップ部の分離状態の縦断面図である。
【図４】同手すりのワイヤ張装作業の手順をａ，ｂ，ｃの順序で時系列的に示す図である。
【図５】この発明の第２の実施の形態にかかる手すりの概要を示す図である。
【図６】同手すりの要部の断面図である。
【図７】この発明の第３の実施の形態にかかる手すりの概要を示す図である。
【図８】同手すりのワイヤ止着具を示し、ａが正断面図、ｂが平面図である。
【図９】同手すりのワイヤ挟持固定具の分離状態を示す断面図である。
【図１０】この発明の第４の実施の形態にかかる手すりの概要を示す図である。
【図１１】同手すりのワイヤ挟持固定具を一部を断面して示す図である。
【図１２】同手すりの一部を拡大した図である。
【図１３】この発明の第５の実施の形態にかかる手すりを示し、ａがワイヤ挟持固定具の一部を断面した図、ｂが同ワイヤ挾持固定具の支柱への取付状態を示す一部断面図、ｃが取付作業の概要を示す斜視図である。
【図１４】同第５の実施の形態にかかる手すりのワイヤ挾持固定具の他の態様を示す一部切断面図である。
【図１】
0003628793.tif 000002
【図２】
0003628793.tif 000003
【図３】
0003628793.tif 000004
【図４】
0003628793.tif 000005
【図５】
0003628793.tif 000006
【図６】
0003628793.tif 000007
【図７】
0003628793.tif 000008
【図８】
0003628793.tif 000009
【図９】
0003628793.tif 000010
【図１０】
0003628793.tif 000011
【図１１】
0003628793.tif 000012
【図１２】
0003628793.tif 000013
【図１３】
0003628793.tif 000014
【図１４】
0003628793.tif 000015